(57)【要約】万力、クランプまたは同種の保持装置のためのアクセサリ（１）であって、好ましくは１対で使用され、保持装置と共に少なくとも１つの物体の一時的な一時的な取り付けに使用され、該アクセサリ（１）は少なくとも１つの溝（３）および少なくとも１つの取り付け装置（４）を備えたボディ（２）を有する。本発明は、該溝（３）は少なくとも１つのアーチ形状の接触面（５）を有している点において従来技術と区別される。
2010520818.tif 000002
【特許請求の範囲】
【請求項１】
万力、クランプまたは同種の保持装置のためのアクセサリ（１）であって、好ましくは１対で使用され、保持装置と共に少なくとも１つの物体の一時的な一時的な取り付けに使用され、該アクセサリ（１）は少なくとも１つの溝（３）および少なくとも１つの取り付け装置（４）を備えたボディ（２）を有し、該溝（３）は少なくとも１つのアーチ形状の接触面（５）を有しているアクセサリ。
【請求項２】
該溝（３）の長さは少なくとも２ミリメートルであり、該溝はアーチ形状の少なくとも１の接触面（５）および１つの接触面（６）を有する、請求項１記載のアクセサリ。
【請求項３】
該アーチ形状は例えばシリンダーのセグメントの外側の曲線で作られる、請求項１または２記載のアクセサリ。
【請求項４】
該アーチ形状は楕円形状から作られる、請求項１から３のいずれか１項記載のアクセサリ。
【請求項５】
該溝（３）はくぼみ（７）を備えている、請求項１から４のいずれか１項記載のアクセサリ。
【請求項６】
該くぼみ（７）は本質的に丸い形状である、請求項４記載のアクセサリ。
【請求項７】
該取り付け装置（４）は少なくとも１つの磁性体ボディを有する、請求項１から６のいずれか１項記載のアクセサリ。
【請求項８】
該アクセサリは比較的より大きな物体を保持するために意図される少なくとも１つの第一の溝（３）、およびより小さな物体を保持するための第二の溝（１０）を備えている、請求項１から７のいずれか１項記載のアクセサリ。
【請求項９】
該アクセサリは、少なくとも１つのリムによって柔軟とされる、請求項１から８のいずれか１項記載のアクセサリ。
【請求項１０】
該接触面５は本質的に点９のまわりに環状に広がる（丸い）ものである、請求項１から９のいずれか１項記載のアクセサリ。
【請求項１１】
該アーチ形状の接触面５および６は、点９で互いに収束する、請求項１から１０のいずれか１項記載のアクセサリ。
【請求項１２】
該アーチ形状の接触面５および６は、くぼみ７を介して、点９で互いに収束する、請求項１から１１のいずれか１項記載のアクセサリ。
【発明の詳細な説明】
【技術分野】
【０００１】
技術分野
本発明は、万力、クランプ、クリップ（ブレース）または同種のもののような保持装置用のアクセサリに関する。より具体的には、本発明は請求項にかかる、万力、クランプ、クリップ（ブレース：ｂｒａｃｅ）または同種のもので物体を固定する際に、主として１対で使用されることが意図されるアクセサリに関する。
【背景技術】
【０００２】
本発明の背景技術
多くの例において、例えば異なる種類の機械作業中に、安全で信頼できるやり方で１つ以上の物体を固定する必要が存在する。万力、クランプまたはその他同種のものの使用は物体を固定する典型的な方法である。万力、クランプまたは同種の機能を有する既存の装置は、平坦な表面を備えた物体の場合にはよく固定できるが、丸い物体のような他の形状に適していない場合がある。更に、三角形、五角形他の多角形の形状の物体のような角のある物体を、簡単に信頼できる方法で固定することは、既存の装置では困難なことがある。
【０００３】
既存の締結装置で作業する材料片を固定する際のさらなる課題は、多くの例においてこれらの装置が所定の場所に保持されるべき物体を傷つけるということである。鋭い端部を備えたツール、たとえばナイフまたは同種のものに対して作業する場合、鋭い端部を破損する危険のない信頼できるやり方でナイフを固定することは可能ではない。しっかりと取り付けられた時、既存の万力のジョーは、ナイフの鋭い端部を傷つける。保持装置の既存のデザインは、ナイフの鋭い端部を傷つけることなしにナイフをしっかりと固定することはできない。
【０００４】
多くの状況で、１つの同一の万力、クランプまたはその他同種のもので、比較的より大きな物体および比較的より小さな物体を固定する必要が発生する。万力、クランプおよびその他同種のもののための既存のアクセサリはこれを許容しない。既存のジョーは、比較的小さい物体と比較的大きな物体の両方を固定するようには設計されていない。
【０００５】
クランプまたは万力のような保持装置のためのアクセサリの既存のデザインに関するさらなる課題は、１つの手で物体を扱うのは難しい場合があるということである。本発明のアクセサリ内に置かれた物体は、両方の手を自由にして作業を行うことを可能とする。更に別の課題は、保持装置への多くのアクセサリが、特定のクランプ、万力またはその他同種のものにのみ適応されるということである。特に開発されたアクセサリは、ある保持装置から別の保持装置にアクセサリを移動させるという、制限された可能性のみを許容する。すべてのタイプの把持装置は、物体を安定して保持するために、いわゆる把持ベクトル（ｇｒｉｐｐｉｎｇ  ｖｅｃｔｏｒ）と呼ばれる３つのベクトル（２つの押圧ベクトル（ｐｒｅｓｓｉｎｇ  ｖｅｃｔｏｒ）および１つのリアクタベクトル（ｒｅａｃｔｏｒ  ｖｅｃｔｏｒ））を使用する必要がある。三次元で把持する時には、３つの軸の力が必要である。２つの押圧ベクトルは把持されている物体に加える；加えられるベクトルの間の距離が把持される物体の幾何学的距離を意味する。しかし、異なる物体は、押圧ベクトルの間の異なる距離を要する。
【０００６】
上記に対する考察から、万力、クランプおよびその他同種のもののための改善されたアクセサリの必要が存在することは明らかである。
【０００７】
従来技術
物体の固定を簡単にするために、様々なタイプの設計が開発されている。締付け装置のこの種の１つの例は米国特許４１３４５７８に記載される。該特許にかかるクランプ装置は２つのばねで付勢されたジョーで構成され、このジョーは近づいたり離れたりできるように回転可能に設計された接触表面を有する。設計は、作業される部品の形状に関して制限された調整性のみを許容する。この設計は多くの部分で構成され、その製造は高価である。また、その可動部は、ワーキング中に生まれるダスト、削りくずおよび他の粒子に弱い。この設計は、例えばナイフのような鋭い端部を備えた物体をしっかりと保持するという問題を解決していない。したがって、この設計は本発明と著しく異なる。
【０００８】
更に、米国特許２３９９７１４によって、互いに２つの物体のクランプを促進するために意図される一種のクランプが知られている。この設計は、特定の形式の接触面を装備したクランプから成る。設計はたとえば丸い物体の保持のために使用されるように意図される。設計は、鋭い端部を備えた物体をしっかりと保持することに適さず、したがって本発明とは著しく異なる。
【０００９】
英国特許２３１７１８は、ある程度本発明に似ている形式の接触面から成るクランプの変形を記載する。しかしながら、接触面の形式は本発明と著しく異なり、鋭い端部備えた物体または同種のものをしっかりと保持するのにふさわしくない。
【００１０】
ＷＯ２００６０７５９８３  Ａ１はマウスの中に自転車をクランプする装置および方法を記載する。該マウスは可動なジョーと固定されたジョーを有し、高負荷がトグル継ぎ手とラッチ機構内で利用され、また、リリースはトリガーにより迅速な動きでマウスを開くように起きることができる。ある実施態様は、さらに様々なサイズの物体を普遍的に把持することを許容する、可動なジョーと固定されたジョーの接触面に置かれることができる、多くのサイズの物体をしっかりと取りと保持するグリップを含んでいる。しかしながら、これらの実施態様は、自転車設計の中で通常使用されるサイズに相当するサイズの、丸いかまたは丸く形作られた物体をつかむために主として設計されている。非常に小さいか、非常に大きな物体はこれらの実施態様に適していない。これらの実施態様は三角形または五角形に形作る物体のような、異なる角のある物体または非対称の形状の物体の安全な保持ができない。また、これらの実施態様も鋭い端を備えた物体を保持し、物体に対する作業を促進することはできない。技術的問題および公知技術の記載に関して、本発明にかかる接触面を装備したジョーの著しく改善された態様への必要が存在する。
【発明の概要】
【発明が解決しようとする課題】
【００１１】
発明概念の簡単な説明
本発明のアクセサリーの主な目的は、非常に様々な幾何学的形状と、非常に広範囲の幾何学的形態を有する、大きく異なるサイズの物体を把持することである。本発明のアクセサリの背景にある主なアイデアは、たとえば万力、クランプまたは同種のもののようなただ一つの機械的な要素の使用によりこの目的を達成することである。本発明の別の目的は、鋭い端部を備えた物体または同種のものをしっかりと保持する可能性を改善することである。本発明のさらなる目的は、多くの寸法の鋭い端部を装備した物体をしっかりと把持することができる、万力またはクランプ用のアクセサリを作成することである。
【００１２】
発明の詳細な説明
本発明は、本発明の最も好ましい実施態様を示す添付の図を参照しつつ、以下に詳細に記載される。
【図面の簡単な説明】
【００１３】
【図１】図１は、本発明の第１の実施態様の透視図である。
【図２】図２は、本発明の第１の実施態様の透視図である。
【図３】図３は、本発明の第１の実施態様の断面図である。
【図４】図４は、本発明の第２の実施態様の透視図である。
【図５】図５は、本発明の第２の実施態様の断面図である。
【図６】図６は、本発明の第３の実施態様を示す。
【図７】図７は、本発明の第４の実施態様を示す。
【図８】図８は、本発明の第５の実施態様を示す。
【図９】図９は、本発明の第５の実施態様を示す。
【図１０】図１０は、本発明の第６の実施態様を示す。
【図１１】図１１は、本発明の第６の実施態様を示す。
【図１２】図１２は、本発明の第７の実施態様を示す。
【図１３】図１３は、本発明の第８の実施態様を示す。
【図１４】図１４は、本発明の第８の実施態様を示す。
【図１５】図１５は、本発明の第９の実施態様を示す。
【図１６】図１６は、本発明の第１０の実施態様を示す。
【図１７】図１７は、本発明の第１１の実施態様を示す。
【図１８】図１８は、本発明によって保持されるいくつかの異なるタイプの物体を示す。
【図１９】図１９は異なる形状のくぼみを示す。
【図２０】図２０は、把持された物体のサイズに関連する押圧ベクトルを示す。
【図２１】図２１は、小さな直径の長い物体を把持する本発明の態様を示す。
【００１４】
図面に関して、万力（図示されない）、クランプまたは同種のもののような保持装置のための本発明のアクセサリ１が示される。アクセサリは、万力（クランプかその他同種のもの）中で１対で使用されるように好ましくは意図されるが、本発明の範囲内において、ひとつでも使用できる。アクセサリは、少なくとも１つの溝３、および、万力、クランプまたは同種のものの既存のジョーに一時的にまたは永久的にアクセサリを取り付けるための少なくとも１つの取付装置４を備えたボディ２を備える。ボディ２は、目的にふさわしいすべての物質で作ることができ、例えば金属または高分子材料から作ることができる。弾性材料は好ましく利用できる。それは押圧ベクトル間の距離にわたり、ボディが把持される形状になるのに十分に柔軟である。さらに、好ましくは、物質は使用の後にそのオリジナルの形に戻る程度に十分に弾性である。Ｌは連続し、物体のサイズおよび形に対応する。それはさらにアクセサリの柔軟性の結果である。あるいは、目的にふさわしい、好ましくは柔軟または弾性を備えた他の公知の材料をボディ２に使用することがｍある。図１では、アクセサリ１は丸く円形の外側形状で示される。異なる実施態様において図４および５のようにアクセサリ１は正方形または長方形であることができる。また本質的に、アクセサリ１の使用に有用なそれぞれのエリアにふさわしい他の形状がであることができる。アクセサリ１は少なくとも１つの溝３を有する。溝３は、異なる形状の様々な異なる物体の保持のために使用される、一つの同一のアクセサリ１が使用されることを可能にする、非常に特定された形状を有している。ナイフ刃または同種のもののような鋭い端を備えた物体は、たとえば万力またはその他同種のものにマウントされた１対のアクセサリ１の助けによって堅く保持されることができる。本発明の１つの好ましい実施例では、溝３は、第一の接触面５および第二の接触面６によって分けられる。接触面５および６は好ましくはアーチ形状であり、該アーチ形状は溝の長さ方向に沿って伸びる。接触面５および６は、好ましくはシリンダーのセグメントの半径方向外側のような放射状の形状を有している。異なる実施態様では、接触面は楕円形状あるいは他のアーチ形状であることができる。
【００１５】
図１から３は、本発明の第一の実施態様を示す。この実施態様は、１対で使用され、かつクランプに永久的にあるいは一時的に取り付けられるように好ましくは意図される。図３は、第一の実施態様の断面図を示し、円のセグメントの形状を有する第一の接触面５および第二の接触面６を示す。第一の接触面５および第二の接触面６は、間に位置するくぼみ７によって互いに分けられる。くぼみ７は、鋭い端部を損傷することなく、アクセサリの助けによってたとえばナイフの鋭い端が堅くクランプされることを可能にする。くぼみ７は好ましくは円い形状を有するが、長方形または目的に適切な他の形状であることができる。それが、接触面５と接触面６の間を動かす際にクラックが発生する危険を著しく減らすので、円形の形状は望ましい。図４および５は、本発明の第二の実施態様を示す。この実施態様のアクセサリは、万力または同種のもの（図示されない）において、取り外し可能かまたは永久的なジョーとして、対応する方法で使用されるように意図される。図４は実施態様の断面図をより具体的に示す。この実施態様では、溝３は、ジョーの長さに沿って長い形状物を受け取る。ジョーを較正するアクセサリの異なるこの変形では、特定の形状は、長い丸い物体あるいは角のある物体をしっかりと保持することに非常によく適合するという技術的効果が得られる。更に、ナイフまたは同種のもののような鋭い端を備える物体のような物体を堅く保持する非常に有利な可能性が獲得される。
【００１６】
図６は、保護層８が取り付けられる本発明の第３の実施態様を示す。保護層８は、アクセサリの助けによって保持される物体を保護するように意図されるか、あるいはアクセサリ中の内部のボディ２を保護するように意図される。保護層８は、アクセサリに永久的に固着されるか、あるいは交換可能に固定されることができる。保護層８は接着剤により交換可能に取り付けることができ、それにより保護層８がアクセサリに一時的に取り付けられる。保護層８の特性は、異なる用途では著しく変化することができる。したがって、保護層８は高分子材料またはその他同種のもののような柔軟な材料で本質的に作られることができる。他の例では、保護層の中の材料が、ボディより本質的に堅い材料であることができる。本発明の範囲内で、保護層８の材料および特性は広範囲で変化することができる。
【００１７】
図７は、本発明の第４の実施態様を示す。この実施態様では、溝の長さはポイント９で本質的に構成されることに制限されている。この実施態様では、接触面５は、本質的にポイント９のまわりに丸く環状に伸びる。この実施態様は、パイプ（チューブ）、棒、菱形、円錐形、長方形あるいは他の形の物体の短い端を保持するの特に好適である。
【００１８】
図８および９は、本発明の第５の実施態様を示す。それは好ましくはクランプへのアクセサリとしての使用を意図する。この実施態様では、アクセサリに、第一の溝３および少なくとも１つの第二の溝１０が設けられる。図８および９は、溝３と本質的に平行な２つの溝１０を備えたアクセサリを示す。
【００１９】
図１０および１１は第６の実施態様を示す。ここでは溝１０は溝３に関して好ましくは９０度の角度で交差している。本発明の範囲内で、アクセサリの使用が別の角度を要求する場合、この角度は変えることができる。この設計は、アクセサリの中に保持される物体へのより大きなアクセシビリティーを許容する。この実施態様は、パイプ、棒あるいはその他同種のものを保持するのにふさわしい。
【００２０】
図１２は本発明の第７の実施態様を示す。これは万力のアクセサリとして使用されるように好ましくは意図される。この実施態様では、アクセサリに、少なくとも１つの第一の溝３および少なくとも第二の平行な溝１０が設けられる。図１３および１４は第８の実施態様を示す。ここでは溝３と溝１０は好ましくは９０度の角度で互いに交差している。本発明の範囲内で、アクセサリの使用が別の角度を要求する場合、この角度は変えることができる。この設計は、アクセサリの中に保持される物体へのより大きなアクセシビリティーを許容する。 
【００２１】
図１５は、本発明の第９の実施態様を示す。ボディ２が外側カバー１１を有し、その中に交換可能なボディ１２が挿入されるように設計されている点で、この実施態様はユニークである。この設計は、溝サイズの特定の必要の後に溝のサイズを調節する可能性を許容する。比較的より浅い溝に対する必要が存在する場合、そのような溝を有するボディ１２がカバー内に挿入される。比較的より深い溝に対して必要が存在する場合、そのような溝を有するボディ１２がカバー内に挿入される。
【００２２】
図１６は、本発明の第１０の実施態様を示す。ここでは外側の表面１３が楕円の形状を有する。この実施態様は、楕円形状を介してパイプを保持する。該楕円形状にパイプの端開口部あるいは例えばとい状のパイプ開口をその長さ方向に沿って入れる。それによりパイプは第一のアクセサリと第２のアクセサリの間でセンターが出される。外側の楕円形状は、例えば短いパイプ、とい状のパイプまたは他の長さ方向に沿って開口を有する他の物体をクランプすることを許容する。
【００２３】
図１７は、本発明の第１１の実施態様を示す。この実施態様はワークストップとして機能し、少なくとも１、好ましくは３つの溝３で構成される。一つの同じワークストップは、形とサイズが異なる様々な物体について、種々様々の異なる用途で使用することができる。
【００２４】
図１８は、本発明によって保持されるいくつかの異なるタイプの物体を示す。例えばアクセサリは、たとえば丸、三角形、厚い、薄い、長い、非対称および対称のような、様々な形状およびサイズの物体を保持することを可能にする。
【００２５】
図１９は、接触面が合わさる点を形成する異なるくぼみの形式を示す。これらの異なるくぼみは、様々な形状およびサイズの物体がアクセサリによってしっかりと保持されることを可能にする。
【００２６】
図２０は、本発明の、把持される物体のサイズおよび形に応じて、押圧ベクトルの間の距離を調節する能力を示す。異なる物体が押圧ベクトル間の異なる距離Ｌを与えるという事実は、すべての把持装置の大きな総括的な問題である。本発明のアクセサリは、アクセサリの柔軟性と距離ＬをＬ＝０までにすることにより達成される、高い機能性と製造の簡単さによってこの総括的な問題を解決するように設計される。距離Ｌをゼロとすることの利点は、アクセサリのユニークなデザインである。図は設置された把持された物体とアクセサリとの間の接触点の例を示す。プレッシングベクトル１４は保持装置の力の軸と平行である。押圧ベクトル１４は物体の幾何学的形状に応じて連続的に変化する。アーチ型のデザインは、Ｌ＝０から、第１の接触点１５と第２の接触点１６の間の距離であるＬの最大値までの押圧ベクトル１４の無段階の調整を可能とする。点１７はＬ＝０と等価である。また、Ｌの最大値は１８と１９の間の距離である。
【００２７】
図２１は、小さな直径を備えた比較的長い物体を把持するために、本発明がどのように使用されるかの実施例を示す。物体を曲げないために、この用途では少なくとも３つのアクセサリが必要とされ、少なくとも２つのアクセサリが１つの方角に押し、少なくとも１つのアクセサリが別の方角に押す。
【００２８】
異なる実施態様では、ともに連結することができる少なくとも２つの別個の部分で構成されることができることも考慮される。
【００２９】
ある好ましい実施態様が詳細に記述されたとしても、変更と改良は、発明の技術分野での専門家にとって明白である。そのようなものはすべて本発明の範囲内にあると見なされる。異なる実施態様において、ジョーの材料は大きな自由度で選ばれ、存在する必要に応じて調節される。したがって、設計は、たとえばプレスなどの他の例において使用されることも考えられる。更に、本発明は精度機械作業などのための、専用のホルダーとして専用の物体に使用されてもよい。この場合、物体は２つのジョーでこの場合固定されず、溝の中に置かれる。その後、物体は１つの手で保持し、別の手で作業することができる。したがって他の異なる実施態様では、本発明は、物体がアクセサリに対して１つの手で保持され、別の手によって作業することを可能にする、大工のワークテーブルまたは同種の物用のワークストップを含むことも考慮される。更に、接触面の形状は、等しいサイズの対称である必要がなく、さらに言えば滑らかである必要もない。接触面はたとえば歯および／または異なる種類のぎざぎざを有することができる。１つあるいは両方の接触面が線状であることも考慮される。
【００３０】
発明の効果
アクセサリは、生産の単純性と高い機能性を組み合わせという総括的な問題を解決するように設計される。アクセサリの生産の単純性は、それが種々様々の材料から製造されることを可能にする。アクセサリは１つの部品として製造することができ、それは生産の単純性および低減された生産費を許容する。ペアで使用される同一のアクセサリで万力、クランプまたは同種のものの中に、広汎なサイズおよび形の物体を保持するための著しく改善された可能性が、本発明のアクセサリで達成される。さらに、アクセサリは様々なタイプの万力、クランプあるいは同様の装置での使用に適し、物体への作業が始まる前に、アクセサリの厄介な調節は必要ではない。たとえば１方の手で物体を固定することがしばしば困難であった万力において、アクセサリは物体の固定を容易にする。更に、たとえばナイフのような鋭い端を備えたツールのような小さな物体を、端部を損傷することなく保持することができる。さらに、磁石を備えた実施態様では、アクセサリが、ある保持装置から別の保持装置に容易に移動されることを可能にする。それは、アクセサリが独立した把持装置として機能することを可能にする。他方では、アクセサリはたとえば把持装置中の最終要素として製造される。この形式では、アクセサリは独立した要素ではなく、一体化された把持要素である。アクセサリのさらなる効果は、アクセサリが保護層を有し、物体が破損から保持されるということである。
【００３１】
設計の一層の効果は、アクセサリが可動部分を含まないので、製造が安価となり、作業中に発生される粉末、削り屑および他の粒子状物質によって引き起こされる害に事実上さらされないということである。
【００３２】
本発明では非常に改善された方法で非常に異なる形状を備えた物体をしっかりと保持することができるので、作業中にたとえば万力から物体が滑り出る危険は最小限にされる。物体への不必要な破損はこのように回避することができる。また、再度の把持作業をする必要がないので、仕事はより効率的になる。更に、より安全な方法で適所に物体を保持することができるので、身体傷害の危険が縮小される。身体傷害の低減は、たとえば万力から物体がスリップして作業者または近隣の作業者にぶつかることを防止することにより達成される。またすべりは加工工具および他のものによる身体傷害を引き起こす場合がある。
【図１】
2010520818.tif 000003
【図２】
2010520818.tif 000004
【図３】
2010520818.tif 000005
【図４】
2010520818.tif 000006
【図５】
2010520818.tif 000007
【図６】
2010520818.tif 000008
【図７】
2010520818.tif 000009
【図８】
2010520818.tif 000010
【図９】
2010520818.tif 000011
【図１０】
2010520818.tif 000012
【図１１】
2010520818.tif 000013
【図１２】
2010520818.tif 000014
【図１３】
2010520818.tif 000015
【図１４】
2010520818.tif 000016
【図１５】
2010520818.tif 000017
【図１６】
2010520818.tif 000018
【図１７】
2010520818.tif 000019
【図１８ａ】
2010520818.tif 000020
【図１８ｂ】
2010520818.tif 000021
【図１８ｃ】
2010520818.tif 000022
【図１８ｄ】
2010520818.tif 000023
【図１９ａ】
2010520818.tif 000024
【図１９ｂ】
2010520818.tif 000025
【図１９ｃ】
2010520818.tif 000026
【図１９ｄ】
2010520818.tif 000027
【図２０】
2010520818.tif 000028
【図２１】
2010520818.tif 000029
【国際調査報告】
2010520818.tif 000030
2010520818.tif 000031
2010520818.tif 000032